(57)【要約】      （修正有）【課題】片手でもトイレットペーパーの繰り出しと切断のできる用具を提供する。【解決手段】トイレットペーパーの回動保持機能を有するホルダー本体１を設け、該ホルダー本体１に蓋板２を回動可能に軸支するとともに、該蓋板２先端に、連続する先鋭部による歯部を有する切断板を突設し、一方、円弧状板体による押圧板５を設け、該押圧板５の一端を蓋板２下面に蓋板２に対し所定範囲内にて回動可能に設けるとともに、押圧板５他端に、摩擦板を有する正面視Ｌ形の回動板８を、該摩擦板をトイレットペーパー側に向けて回動可能に位置させ、該回動板８下面にウエイト１０を設け、以上により、蓋板の反復上下動にてトイレットペーパーの回動を可能とするとともに、トイレットペーパーの容易な切断を可能とするよう構成したことを特徴とする。【選択図】図３
0003183478.tif 000002
【実用新案登録請求の範囲】
【請求項１】
トイレットペーパーの回動保持機能を有するホルダー本体を設け、該ホルダー本体に蓋板を回動可能に軸支するとともに、該蓋板先端に、連続する先鋭部による歯部を有する切断板を突設し、一方、円弧状板体による押圧板を設け、該押圧板の一端を蓋板下面に蓋板に対し所定範囲内にて回動可能に設けるとともに、押圧板他端に、摩擦板を有する正面視Ｌ形の回動板を、該摩擦板をトイレットペーパー側に向けて回動可能に位置させ、該回動板下面にウエイトを設け、以上により、蓋板の反復上下動にてトイレットペーパーの回動を可能とするとともに、トイレットペーパーの容易な切断を可能とするよう構成したことを特徴とするトイレットペーパーの繰り出し機能付きトイレットペーパーホルダー。
【請求項２】
押圧板に下向きの折曲凸部を設けてなる請求項１記載のトイレットペーパーの繰り出し機能付きトイレットペーパーホルダー。
【請求項３】
蓋板につまみを設けてなる請求項１または２記載のトイレットペーパーの繰り出し機能付きトイレットペーパーホルダー。
【請求項４】
切断歯板に代えて蓋板先端に切断歯部を設けてなる請求項１〜３のいずれかの項に記載のトイレットペーパーの繰り出し機能付きトイレットペーパーホルダー。
【請求項５】
ウエイトに代えて、回動板の摩擦板側がその反対側に比べて重くなるように形成してなる請求項１〜４のいずれかの項に記載のトイレットペーパーの繰り出し機能付きトイレットペーパーホルダー。
【考案の詳細な説明】
【技術分野】
【０００１】  この考案は、保持されているトイレットペーパーを簡単に回動させて紙端を繰り出すことができ、かつトイレットペーパーを容易に切断することのできるトイレットペーパーの繰り出し機能を有するトイレットペーパーホルダーに関する。
【背景技術】
【０００２】  従来より、多様なトイレットペーパーホルダーが利用されているが、本案にて示すようなトイレットペーパー紙端の繰り出し機能を有するものは見あたらない。
【考案の概要】
【考案が解決しようとする課題】
【０００３】  トイレットペーパーは日常に欠かせないものであり、通常は専用のホルダーに収納して用いる。使用時には蓋を上げてトイレットペーパーを手前に回し、紙端をつまんで必要分を切り取って用いる。トイレットペーパーを回すときは指でトイレットペーパー外周を押し回すことが多く、やや抵抗感のある作業である。また、トイレットペーパーを切り取るときは片手で蓋を押さえ、他方の手でトイレットペーパーをつまんで上方に持ち上げ、蓋端よりペーパーを切り取る作業が必要となって両手が必要で煩わしい。
とりわけ片手の不自由な人にとっては難儀な作業となるが、これといった解決案のないのが現状である。本案は以上に鑑み、片手でも容易にトイレットペーパーを回して紙端をつまむことができるとともに、その切り取りも容易なる新規かつ有用なる物品を提供することを目的として考案され、開発されたものである。
【課題を解決するための手段】
【０００４】  課題を解決する手段として本案は以下の構成とした。
すなわち、トイレットペーパーの回動保持機能を有するホルダー本体を設け、該ホルダー本体に蓋板を回動可能に軸支するとともに、該蓋板先端に、連続する先鋭部による歯部を有する切断板を突設し、一方、円弧状板体による押圧板を設け、該押圧板の一端を蓋板下面に蓋板に対し所定範囲内にて回動可能に設けるとともに、押圧板他端に、摩擦板を有する正面視Ｌ形の回動板を、該摩擦板をトイレットペーパー側に向けて回動可能に位置させ、該回動板下面にウエイトを設け、以上により、蓋板の反復上下動にてトイレットペーパーの回動を可能とするとともに、トイレットペーパーの容易な切断を可能とするよう構成する。
本案は以上の構成よりなるトイレットペーパーの繰り出し機能付きトイレットペーパーホルダーである。
【考案の効果】
【０００５】  本案は下記の効果を有する。
１．蓋板下面に回動板を有する押圧板を設けたので、蓋板の反復上下動により、トイレットペーパーを回動させてトイレットペーパー紙端を下垂繰り出して容易につまむことができる。
２．蓋板先端に切断歯板を突設したので、片手でもトイレットペーパーを容易に切断することができる。
３．既存のトイレットペーパーホルダーに付設する方式によれば、本案のトイレットペーパーホルダーを新設しなくとも目的を達することができる。
【図面の簡単な説明】
【０００６】
【図１】  本考案の平面図
【図２】  本考案の正面図
【図３】  本考案の構成説明図
【図４】  本考案の要部構造説明図
【図５】  本考案の要部構造説明図
【図６】  本考案の要部機能説明図
【考案を実施するための最良の形態】
【０００７】  以下、本考案の実施形態について説明する。
図において、１はホルダー本体で、平面視略コ字形の金属板成型物であって、トイレ室内壁面適所に螺着固定される。２は蓋板である。この蓋板は平面視長方形金属板体であり、その先をゆるやかに折曲して形成され、その他端は筒状に形成されるとともに、上記ホルダー側面に設けた孔を介して、蓋軸３にてホルダーに対し回動可能に折曲部分を下向きにして取り付けられる。４は蓋の折曲部上面適所に固着されるつまみで、長方形小板体を折曲して、この折曲端を上方に向けて蓋板に固着される。５は押圧板である。この押圧板は蓋板よりやや巾狭の正面視円弧状金属板で、その一端は蝶番６にて蓋板下面に取り付けられ、他端には蝶番７を介して回動板８が設けられる。この回動板は正面視Ｌ形の小板体で、その巾は押圧板に近似である。回動板の一端には、細長小ゴム板よりなる摩擦板９が、回動板上面にその端面をやや突出させて固着され、また、該回動板下面には金属棒によるウエイト１０が固着される。
押圧板の蝶番６の近傍には図３にて示すように鈍角に折曲された下方突出の折曲凸部１１が形成される。１２は切断歯板で、長方形小板体であってその端部には三角歯を連設した切断歯部１３が形成され、この切断歯部を蓋板端より突出させて蓋板下面に固着される。
なお、ホルダー本体の両側には孔が穿設され、この孔にはまりこむ伸縮軸端を有する芯軸１４が設けられ、この芯軸にてトイレットペーパーが回動可能に保持される。【０００８】  次に本案の機能について説明する。まず図２〜図３にて示すように、トイレットペーパーホルダーにトイレットペーパーをセットし、トイレットペーパーの紙端は剥がしておく。
使用時は、つまみを指で持ち上げて蓋板を持ち上げる。すると押圧板は蝶番６にて回動可能のために、この押圧板は蝶番６より下垂し、回動板の摩擦板がトイレットペーパーに押圧接触しているので、蓋板持ち上げと同時にこの摩擦板がトイレットペーパー外周をこすり上げてトイレットペーパーを回動させる。この蓋板を反復上下動することにてトイレットペーパーは間欠的に回動することになる。つまり、図６にて示すように、蓋板を下降させるときは、回動板は逆方向に回動するのでトイレットペーパーへの逆回転力は弱まるのである。また、回動板下面にウエイトが固着されて、このウエイトの働きにて回動板には常にトイレットペーパーに対し略直角方向となる力が作用する。この反復作業にてトイレットペーパーは必要分だけ回動して紙端は鉛直下垂する。そして、この紙端をつまんで持ち上げ、蓋板に突設されている切断歯板の切断歯部にあてがい、さらに紙端を持ち上げるとトイレットペーパーを切断することができる。
従来のトイレットペーパーホルダーの蓋板にさらに押圧板等が付加されているために、この蓋板はトイレットペーパー切断に適した重量となっているので、蓋板を手で押さえることなくトイレットペーパーを切断することができる。なお、蓋板を下げるとき、回動板は回動して既述のごとくトイレットペーパーに対する角度が変わり、トイレットペーパーに対する抵抗が減ずるのであるが、しかし若干の抵抗を有してトイレットペーパーを逆回転させようとする少しの力が発生し、これにてトイレットペーパーが逆回転する恐れが生ずる。これを防ぐために、押圧板に折曲凸部１１を設け、蓋板下降時にまずこの折曲凸部がトイレットペーパー外周にその重量にて押圧接触して、この逆回動を防止するよう構成している。【０００９】  以上、本案について記したが、本案はトイレットペーパーの回動機能と切断機能を有するところにその特徴を有するものである。従来はこのような機能を備えたトイレットペーパーホルダーがなく、片手の不自由な人にとって不便さがあったが、本案にてこれが解消されるものとなったのである。なお、記述例にては押圧板に下向きの折曲凸部を設けたが、簡略版としてこの折曲凸部を設けない方式も可能であり、つまみを省略して構成してもよい。あるいは切断歯板に代えて蓋板端に切断歯部を形成してもよい。既述例の回動板にはウエイトを設けたが、このウエイトに代えて、回動板の摩擦板側がその反対側に比べて重くなるように形成して設けてもよい。また、摩擦板を回動板下面に設けてもよい。なお、本案の押圧板部分等を既設のトイレットペーパーホルダーに付設しても同様の効果を得ることができる。
以上のごとく、本案によって使用に便利なるトイレットペーパーホルダーを得ることができる。
【符号の説明】
【００１０】  １  ホルダー本体
２  蓋板
３  蓋軸
４  つまみ
５  押圧板
６  蝶番
７  蝶番
８  回動板
９  摩擦板
１０  ウエイト
１１  折曲凸部
１２  切断歯板
１３  切断歯部
１４  芯軸
１５  トイレットペーパー
【図１】
0003183478.tif 000003
【図２】
0003183478.tif 000004
【図３】
0003183478.tif 000005
【図４】
0003183478.tif 000006
【図５】
0003183478.tif 000007
【図６】
0003183478.tif 000008